(57)【要約】【課題】荷物を支持することができ、容易に運搬することができる構造を提供する。【解決手段】図８から図１０に示されるように、本発明に係る折りたたみ可能な支持構造は、取付本体と、前記取付本体から上方へ延びるアームと、車輪付きの前方支持脚及び後方支持脚と、を備えている。前記前方支持脚、後方支持脚及びアームのうちの少なくともいくつかが、それぞれを横切る軸を中心に前記取付本体周りを旋回するように該取付本体に取り付けられることにより、操作可能な形態と折りたたまれた形態との間を旋回可能となっている。折りたたまれた形態では、前記前方支持脚、後方支持脚及びアームが略同じ方向に延びる。前記アームは、使用するために延ばされた形態と、当該アームの全長が縮小される縮小された形態とをとる。縮小された形態では、前記アームの全長が前記前方支持脚又は後方支持脚のいずれかの全長に近づく。【選択図】図８
2006335355.tif 000002
【特許請求の範囲】
【請求項１】
取付本体と、
荷物を支持するために、折りたたみ可能な支持構造に取り付けられた支持フレームと、
１つ又は複数の連結手段によって前記取付本体に連結された少なくとも１つの支持脚とを有し、
前記連結手段は、前記支持脚が第１の方向に延びて、折りたたみ可能な支持構造で荷物を支持することを可能にする第１の支持位置から、前記支持脚が第２の方向に延び、容易に運搬可能となる第２の運搬可能位置へ、前記少なくとも１つの支持脚が移動することを可能にする、折りたたみ可能な支持構造。
【請求項２】
前記取付本体に連結され、前記取付本体から延びる複数の支持脚を含む、請求項１に記載の折りたたみ可能な支持構造。
【請求項３】
前記脚は、少なくとも１つの支持脚が前記取付本体の前部から延びて前方支持脚を形成し、少なくとも１つの支持脚が前記取付本体の後部から延びて後方支持脚を形成するように配置された、請求項２に記載の折りたたみ可能な支持構造。
【請求項４】
前記折りたたみ可能な支持構造の前記支持脚は、少なくとも１つの車輪を有しており、前記車輪は、前記取付本体に連結された前記支持脚の端部に対して遠位にある端部それぞれに取り付けられている、請求項３に記載の折りたたみ可能な支持構造。
【請求項５】
前記少なくとも１つの支持脚が延びるのと反対側の方向に延びる真直アームを含む、請求項１に記載の折りたたみ可能な支持構造。
【請求項６】
前記連結手段は、前記少なくとも１つの支持脚が回転されることにより前記第１の支持位置から前記第２の運搬可能位置へ移動することを可能にする回転手段を含む、請求項１に記載の折りたたみ可能な支持構造。
【請求項７】
前記第１の支持位置が前記第２の運搬可能位置の反対側になるように、１８０°まで回転可能である、請求項６に記載の折りたたみ可能な支持構造。
【請求項８】
前記連結手段は、前記取付本体に対してある角度をなす支持位置から、前記取付本体に隣接する折りたたみ可能位置へ、前記少なくとも１つの支持脚が旋回運動することを可能にする旋回手段を含む、請求項１に記載の折りたたみ可能な支持構造。
【請求項９】
前記支持脚は、回転手段及び旋回手段を有する連結手段によって前記取付本体に連結されており、これによって、前記支持脚が荷物の支持姿勢を形成する第１の斜角をなす配置において前記取付本体から延びており、
第２の配置では、前記支持脚が内方へ旋回されて実質的に前記取付本体の近傍に延びるとともに、前記支持脚が回転されて実質的に前記真直アームの近傍に延びるように前記取付本体から延びる、請求項１に記載の折りたたみ可能な支持構造。
【請求項１０】
前記回転手段は、前記取付本体内に取り付けられた円板を含み、前記円板には前記支持脚が取り付けられ、前記円板が前記取付本体内で回転可能である、請求項９に記載の折りたたみ可能な支持構造。
【請求項１１】
少なくとも１つの前記支持脚は、前記取付本体の前記円板の両側に取り付けられており、取り付けられた前記支持脚が同時に回転可能である、請求項１０に記載の折りたたみ可能な支持構造。
【請求項１２】
前記回転手段は、２つの部分を有する円板を含み、それぞれが外面及び相互連結部を備える、請求項１０に記載の折りたたみ可能な支持構造。
【請求項１３】
前記回転手段は、前記取付本体の穴部内に取り付けられ、前記２つの相互連結部が前記穴部の内部で互いに係合し、前記２つの外面が前記取付本体の外側から見え、且つ前記外面に支持脚を取り付けることができる、請求項１２に記載の折りたたみ可能な支持構造。
【請求項１４】
前記回転手段は、前記取付本体の両側で、脚が同時に回転するのを可能にする、請求項１３に記載の折りたたみ可能な支持構造。
【請求項１５】
前記回転手段は、同時の回転又は個別の回転又は独立した回転を選択的に可能にする固定手段を含む、請求項１３に記載の折りたたみ可能な支持構造。
【請求項１６】
前記旋回手段は、前記取付本体内の前記回転手段の前記円板に、前記支持脚を旋回するように連結するためのヒンジを含む、請求項１０に記載の折りたたみ可能な支持構造。
【請求項１７】
前記旋回手段は、前記支持脚の前記ヒンジ式の連結部に隣接して前記取付本体に固定された制限用肩部片を含み、前記取付本体から離れる方向への前記支持脚の旋回量を制限する、請求項１６に記載の折りたたみ可能な支持構造。
【請求項１８】
前記支持フレームは、折りたたみ可能な構造の前記真直アームに取り付けられている、請求項１に記載の折りたたみ可能な支持構造。
【請求項１９】
ストローラ(stroller)又はプッシュチェア(push chairs)の形をした折りたたみ可能な支持構造において、前記構造は、
取付本体と、
旋回するように且つヒンジ式に前記取付本体に取り付けられ、少なくとも１つの車輪を有し、前記車輪が、前記取付本体に連結された端部に対して遠位にある端部それぞれに取り付けられている細長い支持脚と、
荷物を支持するために前記取付本体に取り付けられた支持フレームと、
少なくとも１つの支持脚が前記取付本体の前部から延びて前方支持脚を形成し、少なくとも１つの支持脚が前記取付本体の後部から延びて後方支持脚を形成するように配置された複数の支持脚と、
前記少なくとも１つの支持脚が延びるのと反対側の方向に延びる真直アームとを含み、
前記支持脚は、１つ又は複数の連結手段によって前記取付本体に連結されており、
前記連結手段は、前記支持脚が第１の支持方向に延び、折りたたみ可能な支持構造上の支持フレームで荷物を支持することを可能にする第１の支持位置から、前記支持脚が第２の運搬可能方向に延び、容易に運搬することを可能にする第２の運搬可能位置へ、前記支持脚が移動することを可能にする、折りたたみ可能な支持構造。
【請求項２０】
前記連結手段は、前記少なくとも１つの支持脚が回転されることにより前記第１の支持位置から前記第２の運搬可能位置へ移動することを可能にする回転手段を含む、請求項１９に記載の折りたたみ可能な支持構造。
【請求項２１】
前記第１の支持位置が前記第２の運搬可能位置の反対側となるように、回転量が１８０°までであり、
前記第２の運搬可能位置において、前記支持脚及び前記真直アームが略同じ方向に延びることを可能にして、前記折りたたまれた運搬可能位置にある折りたたみ可能な支持構造によって使用されるスペースの体積を、使用可能である前記支持位置に対して大幅に低減
する、請求項２０に記載の折りたたみ可能な支持構造。
【請求項２２】
取付本体と、
荷物を支持するために折りたたみ可能な支持構造に取り付けられた支持フレームと、
１つ又は複数の連結手段によって前記取付本体に連結された少なくとも１つの支持脚とを有し、
前記連結手段は、前記支持脚が第１の方向に延び、荷物を折りたたみ可能な支持構造で支持することを可能にする第１の支持位置から、前記支持脚が略同じ方向に延びる位置に移動されることによって第２の方向に延び、運搬時の体積を最小にする第２の運搬可能位置へ、前記少なくとも１つの支持脚が移動することを可能にするように、中央取付本体に前方及び後方脚並びに真直アームを取り付けている、折りたたみ可能な支持構造。
【請求項２３】
取付本体と、
荷物を支持するために折りたたみ可能な支持構造に取り付けられた支持フレームと、
１つ又は複数の連結手段によって前記取付本体に連結された複数の支持脚及び真直アームとを有し、
前記支持脚が第１の方向に延び、荷物を折りたたみ可能な支持構造で支持することを可能にする第１の支持位置から、前記支持脚が第２の方向に延び、容易に運搬することを可能にする第２の運搬可能位置へ、前記複数の支持脚及び真直アームが移動できるように、前記連結手段が単一平面内での回転を可能にしている、折りたたみ可能な支持構造。
【請求項２４】
取付本体と、
荷物を支持するために折りたたみ可能な支持構造に取り付けられた支持フレームと、
１つ又は複数の連結手段によって前記取付本体に回転可能に連結された複数の支持脚とを有し、
前記連結手段は、前記複数の支持脚の外方への開きを制限する一方、それとは反対の内側への移動を可能にしており、
また、前記連結手段は、前記複数の支持脚が移動できるように、折りたたみ可能な支持構造に対して略垂直な平面内で前記支持脚の回転を可能にし、これによって、前記支持脚を第１の支持位置から第２の運搬可能位置へ移動可能にし、
前記第１の支持位置は、前記支持脚が第１の方向に延びて、折りたたみ可能な支持構造で荷物を支持することを可能にし、
前記第２の運搬可能位置は、前記支持構造の上部が延びる方向と同一の略垂直な第２の方向に前記支持脚が延び、体積を最小にして容易に運搬することを可能にする、折りたたみ可能な支持構造。
【請求項２５】
図面に関連して実質的に上述したような折りたたみ可能な支持構造。
【発明の詳細な説明】
【技術分野】
【０００１】
本発明は、ゴルフバギー、乳母車、ストローラ(stroller)、プッシュチェア(push chairs)、手押し運搬車及びショッピングカートのような物品を支持するための折りたたみ可能な支持構造に関する。しかしながら、それは、そのような車輪付き構造であるものだけに限定されるのでなく、重量を支持するために必要とされる他の折りたたみ可能な構造にも使用することができる。
【背景技術】
【０００２】
様々な場所で重量を支持することがしばしば必要である。荷物を支持する機能を満たす構造は、大きく、重くまた扱いにくいことがあり、したがって、別の場所に容易に運搬することができない。
【発明の開示】
【発明が解決しようとする課題】
【０００３】
そこで、本発明は、荷物を支持することができ、容易に運搬することができる構造を提供することを目的とする。
【課題を解決するための手段】
【０００４】
本発明によれば、取付本体と、荷物を支持するために折りたたみ可能な支持構造に取り付けられた支持フレームと、１つ又は複数の連結手段によって取付本体に連結された少なくとも１つの支持脚とを有し、この連結手段は、支持脚が第１の方向に延びて、折りたたみ可能な支持構造で荷物を支持する第１の支持位置から、支持脚が第２の方向に延び、容易に運搬することを可能にする第２の運搬可能位置へ、少なくとも１つの支持脚が移動することを可能にする、折りたたみ可能な支持構造が提供される。
【０００５】
折りたたみ可能な支持構造は、取付本体に連結され、取付本体から延びる複数の支持脚を含むことができる。これらの脚は、少なくとも１つの支持脚が取付本体の前部から延びて前方支持脚を形成し、少なくとも１つの支持脚が取付本体の後部から延びて後方支持脚を形成するように配置することができる。
【０００６】
折りたたみ可能な支持構造の支持脚は、少なくとも１つの車輪を有し、この車輪は、取付本体に連結された端部に対して遠位にある端部それぞれに取り付けられることができる。
【０００７】
折りたたみ可能な支持構造は、少なくとも１つの支持脚が延びるのと反対側の方向に延びる真直アームを含むことができる。
【０００８】
連結手段は、少なくとも１つの支持脚が回転されることにより第１の支持位置から第２の運搬可能位置へ移動することを可能にする回転手段を含むことができる。第１の支持位置が第２の運搬可能位置の反対側になるように、１８０°まで回転することができる。これにより、支持脚及び真直アームを略同じ方向に延びるようにすることを可能にし、折りたたまれた運搬可能位置にある折りたたみ可能な支持構造によって使用されるスペースの体積を、使用可能である支持位置にあるものに対して大幅に低減させることができる。
【０００９】
連結手段は、取付本体に対してある角度をなす支持位置から、取付本体に隣接する折りたたみ可能位置へ、少なくとも１つの支持脚が旋回運動することを可能にする旋回手段を含むことができる。
【００１０】
１つの形態では、支持脚は、回転手段及び旋回手段を有する連結手段によって取付本体に連結されており、これによって、支持脚が荷物の支持姿勢を形成する第１の斜角をなす配置において前記取付本体から延びており、第２の配置では、支持脚が内方へ旋回されて実質的に取付本体の近傍に延びるとともに、支持脚が回転されて実質的に真直アームの近傍に延びるように取付本体から延びることができる。
【００１１】
回転手段は、取付本体内に取り付けられた円板を含み、この円板を取付本体の中で回転可能にすることができる。１つ又は複数の支持脚の一端部は、円板に取り付けられ、この円板により支持脚の回転を可能にすることができる。少なくとも１つの支持脚は、取付本体の円板の両側に取り付けられ、この円板により取り付けられた支持脚が同時に回転することを可能にすることができる。
【００１２】
回転手段は、２つの部分を有する円板を含み、それぞれが外面及び相互連結部を備えることができる。回転手段は、取付本体の穴部内に取り付けられ、２つの相互連結部が穴部の内部で互いに係合し、２つの外面が取付本体の外側から見え、且つその外面に支持脚を取り付けることができる。回転手段は、取付本体の両側で、脚が同時に回転することを可能にする。回転手段は、同時の回転又は個別の回転又は独立した回転を選択的に可能にする固定手段を含むことができる。
【００１３】
旋回手段は、支持脚を、取付本体に、好ましくは、回転手段の円板に連結するためのヒンジを含むことができる。旋回手段は、支持脚のヒンジ式の連結部に隣接して取付本体に固定された制限用肩部片を含み、取付本体から離れる方向への支持脚の旋回量を制限することができる。このようにして、旋回手段は、支持脚が所定の斜角をなす支持位置に旋回することを可能にし、また一方では、支持脚が取付本体に向かって運搬可能位置へ移動することを可能にすることができる。
【００１４】
支持フレームは、取付本体と一体化することができる。
【００１５】
別の形態においては、支持フレームは、折りたたみ可能な構造であり、この折りたたみ可能な構造は、体積の大きい支持構造から体積が最小化された運搬可能な構造へ形を変えることができる。この支持フレームは、折りたたみ可能な構造の真直アームに取り付けることができる。
【００１６】
また、本発明によれば、ストローラ(stroller)又はプッシュチェア(push chairs)の形をした折りたたみ可能な支持構造において、前記支持構造は、取付本体と、旋回するように且つヒンジ式に取付本体に取り付けられ、少なくとも１つの車輪を有し、車輪が、取付本体に連結された端部に対して遠位にある端部それぞれに取り付けられている細長い支持脚と、荷物を支持するために取付本体に取り付けられた支持フレームと、少なくとも１つの支持脚が取付本体の前部から延びて前方支持脚を形成し、少なくとも１つの支持脚が取付本体の後部から延びて後方支持脚を形成するように配置された複数の支持脚と、少なくとも１つの支持脚が延びるのと反対側の方向に延びる真直アームとを含み、支持脚は、１つ又は複数の連結手段によって取付本体に連結されており、この連結手段は、支持脚が第１の支持方向に延び、折りたたみ可能な支持構造の支持フレームに荷物を支持することを可能にする第１の支持位置から、支持脚が第２の運搬可能方向に延び、容易に運搬することを可能にする第２の運搬可能位置へ、少なくとも１つの支持脚が移動することを可能にする、折りたたみ可能な支持構造が提供される。
【００１７】
連結手段は、少なくとも１つの支持脚が回転されることにより第１の支持位置から第２の運搬可能位置へ移動することを可能にする回転手段を含むことができる。第１の支持位置が第２の運搬可能位置の反対側となるように、回転量は１８０°までにすることができる。これにより、支持脚及び真直アームを略同じ方向に延びるようにすることを可能にし、折りたたまれた運搬可能位置における折りたたみ可能な支持構造によって使用されるスペースの体積を、使用可能である支持位置におけるものに対して大幅に低減することができる。
【００１８】
車輪が取り付けられた前方及び後方支持脚、下方で地面に係合する位置から、上方で真直アームと同じ方向に延びる位置へ回転することによる実質的な利点は、支持される物品の重量が、外側に広がった構成上にあり、固定された止め具により旋回運動を制限していることである。これは、その支持が、リリースキャッチ（release catches）などに基づいておらず、回転型におけるものより相当強く、複雑である必要がないことを意味する。
【００１９】
しかしながら、本発明は、広い意味で、脚及びアームを略同じ方向に延びる位置に移動させることにより運搬時の体積を最小にすることができるように、中央の取付本体と前方及び後方脚並びに真直アームとを取り付けるものである。
【００２０】
本発明がより容易に理解されるように、１つの実施形態を単に図面について説明することを目的として記載する。
【発明を実施するための最良の形態】
【００２１】
図面を参照すると、ストローラ(stroller)又はプッシュチェア(push chairs)１１の形をした折りたたみ可能な支持構造が示されている。
【００２２】
この構造は、取付本体１５と、２つの細長い後方支持脚１８及び１９と、前方支持脚２０とを有している。これらの支持脚は、取付本体１５に旋回するように連結され、それぞれの遠位にある端部それぞれに地面係合車輪２１が取り付けられ、略等角の配置で取付本体１５から延びている。図１に示される支持位置における後方支持脚１８及び１９は、取付本体１５の後部から外側へ広がるように配置されている。また、この取付本体１５は、取付本体１５の前方へまっすぐ延びる前方支持脚を有している。２つの後方支持脚１８及び１９は、３つの脚が三脚のように荷物を支持をするように、取付ブロック１５の後部から対称的に反対の角度に延びている。後方支持脚は、湾曲した膝部２３に直線的な配置で、外方へ、部分的に下方へ延びている。この湾曲した膝部２３は、略垂直の円筒形の下部脚２４を有している。２つの平行な地面係合車輪２１の間には、スリーブ２５が固定して取り付けられ、下部脚２４の端部に連結される一方、このスリーブ２５により下部脚周りの車輪の回転運動を可能にしている。前方支持脚２０は、取付本体１５に旋回するように連結されている十字形のベースを備え、平面の十字型形状を有している。前方支持脚２０の遠位の端部には、２つの隣接した平行な地面係合車輪２１が、支持脚２０の下部から延びる円筒形車輪ポスト２９の回転マウント２８に取り付けられている。十字型形状を形成する十字形部材は上面にあり、足置き台３０として機能する。
【００２３】
取付本体１５は、略平行で平らな前面と後面を有する略平行六面体のブロックである。この略平行六面体のブロックは、奥行より大きい高さ及び幅を有し、外方へ湾曲した対向する上面及び底面を有している。取付本体の内部構造は、ハニカム構造になっており、そのため、支持中央本体を形成するのに適した強度をもたらし、取付本体の上に取り付けられた構造から重量を受け、支持脚及び地面係合車輪に重量を安定して伝えることができる。
【００２４】
支持脚１８，１９，２０の取付本体１５への取り付けは、２つの動作システムを有する連結手段によってなされる。連結手段の第１の動作システムは、回転手段である。第２の動作システムは、旋回システムである。
【００２５】
回転手段は、取付本体１５の中央に取り付けられ、円筒形の回転円板４１を有している。この回転円板は、取付本体１５の前面及び後面のそれぞれと略同一平面にある平らな円形の前面及び後面を有している。また、回転円板４１は、回転円板及び取付ブロックの前面に垂直な軸の周りに回転することができる。
【００２６】
支持脚１８，１９及び２０それぞれの一端は、回転円板４１に連結され、この回転円板によって各支持脚の回転が可能になる。取付本体の円板の両側には、少なくとも１つの支持脚が取り付けられており、取り付けられた支持脚が同時に回転するのを可能にしている。円板は、２つの部分を備えており、それぞれが外面と相互連結部とを有している。回転手段は、取付本体の穴部内に取り付けられており、２つの相互連結部を穴部の内部で互いに係合し、２つの外面を取付本体の外側から見えるようにし且つその外面に支持脚を設けることができるようにしている。
【００２７】
回転手段は、取付本体の両側で脚が同時に回転するのを可能にしている。回転手段は、同時の回転、個別の回転又は独立した回転を選択的に可能にする固定手段を備えることができる。
【００２８】
旋回システムである第２の動作システムは、旋回手段を有しており、この旋回手段は、回転円板４１と支持脚１８，１９及び２０との連結部と一体で形成されている。前方支持脚２０用のこの旋回手段は、Ｕ字形の旋回ガードブラケットを備えており、この旋回ガードブラケットは、回転円板４１の前面に取り付けられる平らな中央部分を有している。ピボットピン５２は、Ｕ字形の旋回ガードブラケットの側部の間に延びており、十字型形状の前方支持脚２０の基部の端部を通して連結しており、これによって、前方支持脚２０の旋回運動を可能にしている。旋回ガードは、前方支持脚２０の横向きの屈曲を制限するさらなる機能を奏し、また、支持脚２０の旋回を取付本体１５に対して一方向に制限する制限用肩部片５３をさらに有している。このようにして、旋回手段は、支持脚が外側に広がった所定の支持位置へ旋回することを可能にし、その一方で支持脚が取付本体に向かって移動することを可能にする。
【００２９】
取付本体１５、支持脚１８，１９及び２０、並びに車輪２１によって支持される支持構造は、取付本体に取り付けられた上向きに延びるアーム３５及び３６の基部を形成している。取付本体１５は、中央の回転円板４１を有する以外に、側部シース４５及び４６を取付本体の両側に備えており、この側部シース４５及び４６は、取付本体１５と略同じ高さ及び奥行きを有している。側部シースの内部空洞は、略Ｖ字形であり、その底部付近に旋回軸を備えている。この旋回軸により細長い真直アーム３５及び３６の基部が連結され、旋回するように支持されている。これによって、真直アームは、Ｖ字形の一方の側の位置からＶ字形の他方の側の位置へ旋回できるようになっている。
【００３０】
支持脚１８，１９，及び２０と取付本体１５との連結により、平坦な水平面上にある地面係合車輪２１に対して、取付本体及び同一直線上に上向きに延びるアーム３５，３６を後ろ向きに倒れた角度にすることが、図２に詳細に示されている。
【００３１】
まっすぐに延びるアーム３５，３６は、下部アーム３５ａ，３６ａを備えている。この下部アーム３５ａ，３６ａは、取付本体１５に連結されて取付本体１５から延び、エルボ継手３８のそれぞれによって上部アーム３５ｂ，３６ｂと連結されている。そして、上部アーム３５ｂ，３６ｂは、ハンドル３９によってそれぞれの頂部が覆われている。エルボ継手３８、及び上部アーム３５ｂ，３６ｂの形状は、真直アームが、取付本体１５の後ろ向きに倒れた角度によって形成された平面内に実質的に延びることを可能にしている。
【００３２】
座席の形状の支持フレーム４５は、子供又は他の荷物を支持するための真直アーム３５，３６に取り付けられる。これは、アーム３５，３６の前側にヒンジ式に取り付けられた支持ポスト６１，６２によって設けられる。荷物は、ポスト６１，６２の間に延びる可撓性の材料又は他の剛性の材料、並びに下部アーム３５ａ，３６ａの間に延びる可撓性の材料又は他の剛性の材料に接して置くことができる。しかしながら、車のベビーカプセル(baby capsule)又はゴルフクラブのバッグのような固定された構造物は、支持ポスト、真直アーム及び支持脚によって形成されるフレーム構造に直接取り付けることができる。
【００３３】
図７.１，７.２，７.３及び７.４を参照して回転手段の動作を詳細に見ると、取付本体１５を特徴とする折りたたみ可能な機構が示されている。この取付本体１５は、中央の穴部４２を有しており、この穴部４２の中には回転円板４１が取り付けられている。そして、この円板４１の前面には、前方及び後方脚１８，１９及び２０が取り付けられている。回転円板の内部には、円板４１の中心から互いに反対側に延びる直線溝８１がある。そして、直線溝８１の内部には、ばね８２があり、プランジャ８１を直線溝に沿って外向き方向に押している。それによって、プランジャ８２は、円形の穴部を越えて、溝８１と交わる隣接した溝８４に延びている。溝８４は、真直アームが旋回するように取り付けられている側部シースの内部におけるＶ字形の空洞に延びている。スペーサボール８５は、同一直線上にある隣接した溝８４に部分的に嵌合し、旋回連結部の上方において、一方の側でプランジャ８２に、他方の側で真直アーム３５，３６に係合する。この係合によると、クロスブレース７７の曲げ及び真直アーム３５，３６の旋回による内側への移動によって、プランジャに対してスペーサボール８５を押し付ける。これにより、側部シース４５，４６のＶ字形空洞内で、真直アーム３５，３６が最も内側にある位置において、プランジャが、回転円板を保持している円形の穴部４２の範囲内にちょうどくるようになる。そして、それによって、回転円板の回転が可能になる。
【００３４】
真直アーム３５，３６の間における取付本体１５の上面には、回転円板４１の不慮の回転を防ぐために、回転止め７５が取り付けられており、この回転止め７５は、当接端部７６を備え、第１の長さを有している。この第１の長さは、側部シース４５，４６のＶ字形の空洞内部における運動の制限によって規定される最大の収束位置において、当接端部７６を真直アーム３５，３６に係合させるのに十分なものである。その回転止めは、より小さい長さを有し、回転することにより真直アームとの係合を解除でき、これによって、アームは旋回して内側へ移動し、ばねによって荷重が与えられたプランジャ８２に対抗して作用することができる。そして、これにより、前方及び後方支持脚が取り付けられた回転円板４２が回転することを可能にしている。
【００３５】
したがって、ストローラ(stroller)又はプッシュチェア(push chairs)１１は、複数の細長い支持脚１８，１９，２０を有しており、各支持脚１８，１９，２０は、取付本体１５に連結されると共に取付本体１５から延びていることがわかる。これらの脚は、１つの前方支持脚１８が取付本体１５の前部から延び、２つの支持脚１９，２０が取付本体１５の後部から延びるようにして配置されている。ストローラ(stroller)又はプッシュチェア(push chairs)１１は、２つの直線状の真直アーム３５，３６をさらに有しおり、この真直アーム３５，３６は、ハンドルをその上端部に備え、取付ブロック１５の空洞の内部で旋回機構により連結されている。
【００３６】
これらの特徴のそれぞれが移動を可能にしている。前方支持脚２０は、外側に広がった位置から、取付本体及び真直アームのある平面に略隣接した位置に旋回して移動することができる。制限用肩部片は、一方向の運動を妨げるが他の方向の運動は可能にしている。取付本体１５及び真直アーム３５，３６のある平面が、ｂ−ｂとして認識され、垂直に対して後ろ向きに倒れた角度ｂ°であるとき、ａ−ａに沿う前方支持脚の角度は平面ｂ−ｂに対して角度ａ°であり、平面ｂ−ｂに略平行で同じ方向に延びるように旋回して移動することができる。前方支持脚はまた、取付本体１５の回転円板４１と共に１８０°回転することができる。このようにして、地面係合車輪は、取付本体の下部側から延びており、これによって、取付本体１５の上部側に配置することができる。
【００３７】
後方支持脚１８，１９も、外側へ広がった位置から、取付本体及び真直アームのある平面に略隣接する位置に旋回して移動し、取付本体１５の回転円板４１と共に１８０°回転することができる。すなわち、後方支持脚１８，１９は、平面ｂ−ｂに対してｃ°をなす線ｃ−ｃから移動し、平面ｂ−ｂに略平行に同じ方向に延びるように旋回して移動することができる。
【００３８】
下部アーム３５ａ，３６ａから延びる支持ポスト６１，６２は、下部アーム３５ａ，３６ａに隣接して３５ａ，３６ａと同じ方向に延びるように旋回することができる。この支持ポスト６１，６２は、平面ｂ−ｂに略直交する平面ｄ−ｄに沿って延び、平面ｂ−ｂに略平行に同じ方向に延びるように旋回して移動することができる。
【００３９】
真直アーム３５，３６は、平面ｂ−ｂ内で取付ブロック１５から上向きに延びている。しかしながら、外側の側部シースのＶ字形空洞は、ハンドル近くの上端部でクロスブレースがその間隔を維持したまま、図１に示される線ｅ−ｅに沿った外側の収束からの上部アーム３５ｂ，３６ｂの移動を可能にしている。しかしながら、クロスブレースが所定の中央のヒンジで曲げられると、真直アーム３５，３６は上端部で互いに向かって移動して略平行になるようにすることができる。また、上部アーム３５ｂ，３６ｂは、平面ｂ−ｂ内の下部アーム３５ａ，３６ａに隣接し、下部アーム３５ａ，３６ａと同じ方向に延びるように、エルボ継手３８において旋回することができる。上部アーム３５ｂ，３６ｂは、略平面ｂ−ｂ内にある又は平面ｂ−ｂに略平行である下部アーム３５a，３６ａと同じ方向に延びるように、エルボ継手３８において１８０°旋回することができる。
【００４０】
取付ブロック１５の空洞の内部側壁は、支持する配置で使用するとき、真直アーム３５，３６の外側への最大の開きを規定する。旋回連結は、より小さい体積での運搬が可能となる位置になるように、真直アーム３５，３６が略同じ方向に延びるように内側へ移動することを可能にする。真直アーム３５，３６を使用することで、ストローラ(stroller)又はプッシュチェア(push chairs)１１の操作性を良くすることができる。
【００４１】
ストローラ(stroller)又はプッシュチェア(push chairs)１１は、使用中に、支持脚１８，１９，２０が第１の方向に延びて折りたたみ可能な支持構造に荷物を支持することを可能にする第１の支持位置から、支持脚が真直アーム３５，３６と略同じ方向に延びる第２の方向に延びて容易に運搬が可能である第２の運搬可能位置へ変更可能である。そのような動作の機構が、本明細書中で詳述される。
【００４２】
支持脚１８，１９，２０のそれぞれは、回転手段及び旋回手段を有する連結手段よって、１つの取付本体１５に連結されており、これによって、支持脚は、荷物の支持姿勢を形成する外側に広がった第１の配置において取付本体から延びており、第２の配置では、支持脚が内方へ旋回されて実質的に取付本体の近傍に延びるとともに、支持脚が回転されて実質的に真直アームの近傍に延びるように取付本体から延びることができる。
【００４３】
回転手段は、第１の支持位置から第２の運搬可能位置へ、支持脚１８，１９，２０を回転させることにより移動させることができる。回転量は１８０°までであり、第１の支持位置が第２の運搬可能位置の反対側となるようになっている。これは、支持脚１８，１９，２０及び真直アーム３５，３６が略同じ方向に延びることを可能にして、折りたたまれた運搬可能位置におけるストローラ(stroller)又はプッシュチェア(push chairs)１１によって使用されるスペースの体積を、使用可能である支持位置におけるものに対して大幅に低減させる。
【００４４】
連結手段の旋回手段は、取付本体に対してある角度をなす支持位置から、取付本体に隣接した折りたたみ可能位置へ、取り付けられた支持脚１８，１９，２０が旋回運動するのを可能にする。
【００４５】
折りたたみ可能な支持構造に荷物を支持させることができる第１の支持位置から、第２の運搬可能位置に変換するための系統的なステップの一形態は、
ｉ．下部アームと同じ方向に延びるように、支持ポスト６１を下部アーム３５ａ，３６ａとの旋回連結部の周りに回転する。
【００４６】
ｉｉ．真直アーム３５，３６が旋回することを可能にするために、真直アーム３５，３６の間における取付本体１５上部の回転止め７５を回転する。
【００４７】
ｉｉｉ．真直アーム３５，３６の間のクロスブレース７７を曲げ、真直アーム３５，３６が略平行となるように内側へ移動させる。そして、回転円板４１が取り付けられた円形の穴部４２内におけるばね荷重が与えられたプランジャ８２による固定と逆の動作により、回転円板４１の回転を可能にする。
【００４８】
ｉｖ．車輪がもはや地面に係合せず、通常の使用位置に対して上向きに外側に広がるように、取付本体の回転円板４１の回転によって前方及び後方支持脚１８，１９及び２０を同時に回転させる。
【００４９】
ｖ．ピボットガード５１から離れるように前方脚２０に沿って周辺部カバー５４をスライドすることによって、前方ポストの固定機構を解除して、真直アーム３５，３６から外向きに斜角をなす角度ａ°から前方支持ポストを旋回することにより、前方支持ポストが下部アームに平行で同じ方向に延びることを可能にする。
【００５０】
ｖｉ．真直アーム３５，３６から外向きに斜角をなす角度ａ°から後方支持ポストを内側へ移動させることによって旋回させ、下部アームに平行で同じ方向に延びるようにする。
【００５１】
ｖｉｉ．上部アーム３５ｂ，３６ｂをエルボ３８の周りで、旋回させて、下部アーム３５ａ，３６ａに平行で同じ方向に延びるようにする。
ことによるものである。
【００５２】
これらのステップのいくつかを、別の順序で行うことができるのは明らかである。
【００５３】
ストローラ(stroller)又はプッシュチェア(push chairs)１１の支持フレーム４５は、体積の大きい支持構造から体積が最小化された運搬可能な構造へ変更することができる座位保持装置である。支持フレームは、ストローラ(stroller)又はプッシュチェア(push chairs)１１の真直アーム３５，３６に取り付けられる。
【００５４】
図４から６には、折りたたみ可能な支持構造が、折りたたまれた運搬可能位置で示されている。
【００５５】
図８，９及び１０を参照すると、中央の取付本体への前方及び後方脚並びに真直アームの様々な取付形態が示されており、この取付形態によれば、運搬時の体積を最小に抑えるために、脚及びアームを略同じ方向に延びる位置に移動させることができる。これは、前方及び後方脚並びに真直アームのすべてが単一平面内で回転することによってなされ、これによって、前方及び後方脚並びに真直アームが同じ方向に延びることができる。どの部分が固定された位置のままであり、どの他の部分を近傍に且つ略同じ方向に延びるように回転させる必要があるかということを選択することにより、これらの様々な実施形態が提供される。
【００５６】
上記の説明は、単に例示としての好ましい実施形態であることが理解されるであろう。それは、本発明を限定するものではない。いかなる創作能力を発揮することなく当業者によって理解されるような折りたたみ可能な支持構造の変形形態は、特許請求の範囲で定義される本発明の範囲に含まれることは明らかである。
【図面の簡単な説明】
【００５７】
【図１】本発明の第１の実施形態に係る、開いた形態における折りたたみ可能な支持構造の透視図である。
【図２】図１の折りたたみ可能な支持構造の側面図である。
【図３】図１の折りたたみ可能な支持構造の正面図である。
【図４】図１の本発明の第１の実施形態に係る、閉じた形態における折りたたみ可能な支持構造の透視図である。
【図５】図４の閉じて折りたたまれた形態における折りたたみ可能な支持構造の側面図である。
【図６】図１の閉じて折りたたまれた形態における折りたたみ可能な支持構造の上面図である。
【図７】図７.１，７.２，７.３及び７.４は、折りたたみ機構の様々な動作段階の取付本体付近における、図１の折りたたみ可能な支持構造の部分縦断面図である。
【図８】回転機構を必要としない他の折りたたみ機構を備える、本発明の他の形態に係る折りたたみ可能な支持構造の実施形態を示す図である。
【図９】回転機構を必要としない他の折りたたみ機構を備える、本発明の他の形態に係る折りたたみ可能な支持構造の実施形態を示す図である。
【図１０】回転機構を必要としない他の折りたたみ機構を備える、本発明の他の形態に係る折りたたみ可能な支持構造の実施形態を示す図である。
【図１】
2006335355.tif 000003
【図２】
2006335355.tif 000004
【図３】
2006335355.tif 000005
【図４】
2006335355.tif 000006
【図５】
2006335355.tif 000007
【図６】
2006335355.tif 000008
【図７】
2006335355.tif 000009
【図８】
2006335355.tif 000010
【図９】
2006335355.tif 000011
【図１０】
2006335355.tif 000012
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
取付本体と、
前記取付本体から上方へ延びるアームと、
車輪付きの前方支持脚及び後方支持脚とを備え、
前記前方支持脚、後方支持脚及びアームのうちの少なくともいくつかが、前記取付本体周りに旋回するように該取付本体に取り付けられることによって、前記いくつかの前方支持脚、後方支持脚及びアームにおける各部位が、前後に延びる鉛直平面内を移動して、操作可能な形態と、当該前方支持脚、後方支持脚及びアームが略同じ方向に延びる折りたたまれた形態との間を旋回可能となっており、
前記アームは、使用するために延ばされた形態と、縮小された形態とをとり、該縮小された形態において、当該アームの全長が前記前方支持脚又は後方支持脚のいずれかの全長に近づくように縮小されるようになっている、折りたたみ可能な支持構造。
【請求項２】
取付本体と、
前記取付本体から上方へ延びるアームと、
車輪付きの前方支持脚及び後方支持脚とを備え、
前記前方支持脚、後方支持脚及びアームのうちの少なくともいくつかが、前記取付本体周りに旋回するように該取付本体に取り付けられることによって、前記いくつかの前方支持脚、後方支持脚及びアームにおける各部位が、前後に延びる鉛直平面内を移動して、操作可能な形態と、当該前方支持脚、後方支持脚及びアームが略同じ方向に延びる折りたたまれた形態との間を旋回可能となっており、
前記アームは、折りたたまれた形態において、該アームの長さが前記前方支持脚又は後方支持脚のいずれかの長さに近づくように折りたたまれるようになっている、折りたたみ可能な支持構造。
【請求項３】
前記アームは、長さ方向の略中央部で折りたたまれる、請求項２に記載の折りたたみ可能な支持構造。
【請求項４】
前記後方支持脚及びアームは、前記取付本体周りに旋回可能である、請求項１から３のいずれかに記載の折りたたみ可能な支持構造。
【請求項５】
前記前方支持脚は、前記取付本体に固定されている、請求項４に記載の折りたたみ可能な支持構造。
【請求項６】
１つ以上の前記後方支持脚は、第１の回転方向に旋回可能であり、前記アームは、当該第１の回転方向と反対の第２の回転方向に旋回可能である、請求項４又は５に記載の折りたたみ可能な支持構造。
【請求項７】
取付本体と、
前記取付本体から上方へ延びるアームと、
車輪付きの前方支持脚及び後方支持脚とを備え、
前記前方支持脚、後方支持脚及びアームのうちの少なくともいくつかが、それぞれを横切る軸を中心に前記取付本体周りを旋回するように該取付本体に取り付けられることにより、操作可能な形態と、当該前方支持脚、後方支持脚及びアームが略同じ方向に延びる折りたたまれた形態との間を旋回可能となっており、
前記アームは、使用するために延ばされた形態と、縮小された形態とをとり、該縮小された形態において、当該アームの全長が前記前方支持脚又は後方支持脚のいずれかの全長に近づくように縮小されるようになっている、折りたたみ可能な支持構造。
【請求項８】
取付本体と、
前記取付本体から上方へ延びるアームと、
車輪付きの前方支持脚及び後方支持脚とを備え、
前記前方支持脚、後方支持脚及びアームのうちの少なくともいくつかが、それぞれを横切る軸を中心に前記取付本体周りを旋回するように該取付本体に取り付けられることにより、操作可能な形態と、当該前方支持脚、後方支持脚及びアームが略同じ方向に延びる折りたたまれた形態との間を旋回可能となっており、
前記アームは、長さ方向の略中央部で折りたたみ可能である、折りたたみ可能な支持構造。
【請求項９】
前記前方支持脚及びアームは、前記取付本体周りに旋回可能である、請求項７又は８に記載の折りたたみ可能な支持構造。
【請求項１０】
前記前方支持脚は、前記取付本体に固定されている、請求項９に記載の折りたたみ可能な支持構造。
【手続補正２】
【補正対象書類名】明細書
【補正対象項目名】０００１
【補正方法】変更
【補正の内容】
【０００１】
本発明は、ゴルフバギー、乳母車、ストローラ(stroller)、プッシュチェア(push chairs)、手押し運搬車及びショッピングカートのような物品を支持するための折りたたみ可能な支持構造に関する。しかしながら、それは、そのような車輪付き構造であるものだけに限定されるのでなく、重量を支持するために必要とされる他の折りたたみ可能な構造にも使用することができる。本願は、特願２００４−５７１２０１号を基礎とする分割出願である。
【手続補正３】
【補正対象書類名】明細書
【補正対象項目名】０００４
【補正方法】変更
【補正の内容】
【０００４】
本発明の第１の形態によれば、取付本体と、前記取付本体から上方へ延びるアームと、車輪付きの前方支持脚及び後方支持脚とを備え、前記前方支持脚、後方支持脚及びアームのうちの少なくともいくつかが、前記取付本体周りに旋回するように該取付本体に取り付けられることによって、前記いくつかの前方支持脚、後方支持脚及びアームにおける各部位が、前後に延びる鉛直平面内を移動して、操作可能な形態と、当該前方支持脚、後方支持脚及びアームが略同じ方向に延びる折りたたまれた形態との間を旋回可能となっており、前記アームは、使用するために延ばされた形態と、縮小された形態とをとり、該縮小された形態において、当該アームの全長が前記前方支持脚又は後方支持脚のいずれかの全長に近づくように縮小されるようになっている、折りたたみ可能な支持構造が提供される。
【手続補正４】
【補正対象書類名】明細書
【補正対象項目名】０００５
【補正方法】変更
【補正の内容】
【０００５】
本発明の第２の形態によれば、取付本体と、前記取付本体から上方へ延びるアームと、車輪付きの前方支持脚及び後方支持脚とを備え、前記前方支持脚、後方支持脚及びアームのうちの少なくともいくつかが、前記取付本体周りに旋回するように該取付本体に取り付けられることによって、前記いくつかの前方支持脚、後方支持脚及びアームにおける各部位が、前後に延びる鉛直平面内を移動して、操作可能な形態と、当該前方支持脚、後方支持脚及びアームが略同じ方向に延びる折りたたまれた形態との間を旋回可能となっており、前記アームは、折りたたまれた形態において、該アームの長さが前記前方支持脚又は後方支持脚のいずれかの長さに近づくように折りたたまれるようになっている、折りたたみ可能な支持構造が提供される。
【手続補正５】
【補正対象書類名】明細書
【補正対象項目名】０００６
【補正方法】変更
【補正の内容】
【０００６】
また、好ましくは、前記アームは、長さ方向の略中央部で折りたたまれる。
【手続補正６】
【補正対象書類名】明細書
【補正対象項目名】０００７
【補正方法】変更
【補正の内容】
【０００７】
本発明の最も好ましい形態では、前記後方支持脚及びアームは、前記取付本体周りに旋回可能である一方、前記前方支持脚は、前記取付本体に固定されている。また、好ましくは、前記後方支持脚は、第１の回転方向に旋回可能であり、前記アームは、当該第１の回転方向と反対の第２の回転方向に旋回可能である。
【手続補正７】
【補正対象書類名】明細書
【補正対象項目名】０００８
【補正方法】変更
【補正の内容】
【０００８】
本発明の第３の形態によれば、取付本体と、前記取付本体から上方へ延びるアームと、車輪付きの前方支持脚及び後方支持脚とを備え、前記前方支持脚、後方支持脚及びアームのうちの少なくともいくつかが、それぞれを横切る軸を中心に前記取付本体周りを旋回するように該取付本体に取り付けられることにより、操作可能な形態と、当該前方支持脚、後方支持脚及びアームが略同じ方向に延びる折りたたまれた形態との間を旋回可能となっており、前記アームは、使用するために延ばされた形態と、縮小された形態とをとり、該縮小された形態において、当該アームの全長が前記前方支持脚又は後方支持脚のいずれかの全長に近づくように縮小されるようになっている、折りたたみ可能な支持構造が提供される。
【手続補正８】
【補正対象書類名】明細書
【補正対象項目名】０００９
【補正方法】変更
【補正の内容】
【０００９】
本発明の第４の形態によれば、取付本体と、前記取付本体から上方へ延びるアームと、車輪付きの前方支持脚及び後方支持脚とを備え、前記前方支持脚、後方支持脚及びアームのうちの少なくともいくつかが、それぞれを横切る軸を中心に前記取付本体周りを旋回するように該取付本体に取り付けられることにより、操作可能な形態と、当該前方支持脚、後方支持脚及びアームが略同じ方向に延びる折りたたまれた形態との間を旋回可能となっており、前記アームは、長さ方向の略中央部で折りたたみ可能である、折りたたみ可能な支持構造が提供される。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】変更
【補正の内容】
【００２０】
本発明がより容易に理解されるように、図８から図１０を参照して、いくつかの実施形態を単に説明することを目的として記載する。図１から図７の説明は、本発明の説明を補完するためのものである。
【手続補正２０】
【補正対象書類名】明細書
【補正対象項目名】００５７
【補正方法】変更
【補正の内容】
【００５７】
【図１】開いた形態における折りたたみ可能な支持構造の透視図である。
【図２】図１の折りたたみ可能な支持構造の側面図である。
【図３】図１の折りたたみ可能な支持構造の正面図である。
【図４】閉じた形態における折りたたみ可能な支持構造の透視図である。
【図５】図４の閉じて折りたたまれた形態における折りたたみ可能な支持構造の側面図である。
【図６】図１の閉じて折りたたまれた形態における折りたたみ可能な支持構造の上面図である。
【図７】図７.１，７.２，７.３及び７.４は、折りたたみ機構の様々な動作段階の取付本体付近における、図１の折りたたみ可能な支持構造の部分縦断面図である。
【図８】図１から図７に示された機構とは異なる、回転機構を必要としない折りたたみ機構を備える、本発明に係る折りたたみ可能な支持構造を示す図である。
【図９】図１から図７に示された機構とは異なる、回転機構を必要としない折りたたみ機構を備える、本発明に係る折りたたみ可能な支持構造を示す図である。
【図１０】図１から図７に示された機構とは異なる、回転機構を必要としない折りたたみ機構を備える、本発明に係る折りたたみ可能な支持構造を示す図である。